(57)【要約】【課題】 歯磨き粉を歯磨き粉の容器から取り出すために、歯磨き粉の蓋を分離及び結合する際に発生する諸問題点を解決する。【解決手段】片手でも容易に歯磨き粉の蓋を分離、結合することができ、使用上の便宜性を極大化し、紛失及び汚染の恐れが低減された歯磨き粉の蓋が開示される。この歯磨き粉の蓋は、歯磨き粉の容器(９)の吐出部(９a)が結合される蓋部(１)と;壁面に取り付けられる吸着手段(２)と;一部は、その吸着手段(２)に形成された軸孔(３)を通じて角運動可能に設けられ、両端部は、前記蓋部(１)の軸孔(５)にヒンジ結合されるヒンジレバー(４)と;を含む。
2007509824.tif 000002
【特許請求の範囲】
【請求項１】
歯磨き粉の容器の吐出部が結合される蓋部と;
壁面に取り付けられる吸着手段と;
一部は、その吸着手段に形成された軸孔を通じて角運動可能に設けられ、両端部は、前記蓋部の軸孔にヒンジ結合されるヒンジレバーと;を含む歯磨き粉の蓋。
【請求項２】
前記ヒンジレバーの両端部が結合される歯磨き粉の蓋上の軸孔は、前記蓋部の中心線を通る対称面に対して片方に偏った位置に形成され、前記吐出部が結合される結合部が、前記吸着手段が取り付けられた壁面の反対側に向かって回ろうとする傾向を持つようになったことを特徴とする請求項１に記載の歯磨き粉の蓋。
【請求項３】
前記ヒンジレバーは、一字形に形成され、蓋部の上部に形成される連結ヒンジ部上の軸孔を通じてヒンジ結合し、この時、吸着手段の胴体は、フレキシブル(flexible)に構成したことを特徴とする請求項１に記載の歯磨き粉の蓋。
【請求項４】
前記軸孔は、前記吐出部が結合される結合部が、前記吸着手段が取り付けられた壁面の反対側に向かって回ろうとする傾向を持つように、片側に偏った位置に形成されたことを特徴とする請求項３に記載の歯磨き粉の蓋。
【請求項５】
前記ヒンジレバーの両端部は、蓋部の外縁部に固定される連結リング上の軸孔にヒンジ結合するようにし、前記連結リングは、前記蓋部に固定ピースで固定したことを特徴とする請求項１に記載の歯磨き粉の蓋。
【請求項６】
前記軸孔は、前記吐出部が結合される結合部が、前記吸着手段が取り付けられた壁面の反対側に向かって回ろうとする傾向を持つように、片側に偏った位置に形成されたことを特徴とする請求項５に記載の歯磨き粉の蓋。
【発明の詳細な説明】
【技術分野】
【０００１】
本発明は、歯磨き粉の蓋に関するもので、より詳細には、歯磨き粉を使用するために歯磨き粉の容器から蓋を分離及び結合する際に、片手でも歯磨き粉の蓋を分離、結合することができ、使用上の便宜性を極大化し、歯磨き粉の蓋が紛失及び汚染される弊害を一掃するなどの数多くの効果を持つ歯磨き粉の蓋を提供しようとするものである。
【背景技術】
【０００２】
通常、歯磨きをする際に使用する歯磨き粉は、チューブ状の歯磨き粉の容器内に受納され、歯磨き粉の蓋で密閉されている。
【０００３】
このような歯磨き粉の容器内の歯磨き粉を押し出して取り出そうとする際は、歯磨き粉の蓋を歯磨き粉の容器から分離した後、歯磨き粉の容器の外面部に圧力を加えて、歯磨き粉を歯ブラシに適量つけた後、再び歯磨き粉の蓋を歯磨き粉の容器に結合しなければならない。
【０００４】
このような歯磨き粉の取り出しのためには、ついには、片手では作業が不可能で、両手を共に使わなければならないが、このような場合、片手は、取り出された歯磨き粉が塗布される歯ブラシを握っていなければならないので、やむをえず、分離した歯磨き粉の蓋は、近い所に暫く載置して置き、歯磨き粉を取り出した後、再び歯磨き粉の容器に結合しなければならないという面倒さがあった。
【０００５】
そして、急ぐ場合、歯磨き粉の蓋をどこそこに放置して紛失する場合もあり、汚染される場合も多くあったし、乳児らの場合は、片手で歯ブラシを握り、他の片手で歯磨き粉の容器を握った状態で、歯磨き粉の蓋を分離する場合、これを落とす場合が多くあって、歯磨き粉の蓋が紛失及び汚染される場合がしばしばあった。
【発明の開示】
【発明が解決しようとする課題】
【０００６】
それで、本発明では、上述したように、歯磨き粉を歯磨き粉の容器から取り出すために、歯磨き粉の蓋を分離及び結合する際に発生する諸問題点を解決しようとするものであって、
本発明は、歯磨き粉の蓋を洗面場の鏡やタイルなどに角運動可能に設置した後、使用者が片手で歯磨き粉の容器を握って簡単に歯磨き粉の蓋を分離できるようにして、歯磨き粉の蓋の紛失及び汚染を根源的に防止し、使用上の便益を極大化した歯磨き粉の蓋を提供することに発明の技術的な課題を置いて、本発明を完成したものである。
【課題を解決するための手段】
【０００７】
前記の技術的な課題を達成するための本発明は、歯磨き粉の容器の吐出部が結合される蓋部と;壁面に取り付けられる吸着手段と;一部は、その吸着手段に形成された軸孔を通じて角運動可能に設けられ、両端部は、前記蓋部の軸孔にヒンジ結合されるヒンジレバーと;を含む歯磨き粉の蓋を提示する。
【発明の効果】
【０００８】
本発明で提供する歯磨き粉の蓋は、吸着手段を用いて、洗面場の鏡やタイルなどに取り付けて使用されるものであって、本発明は、歯磨き粉を吐出しようとする際に、歯磨き粉の容器だけを握って分離すれば歯磨き粉の蓋を開放することができ、歯磨き粉の吐出後は、歯磨き粉の容器の吐出部を歯磨き粉の蓋に押し込むと、ヒンジレバーの角運動によって歯磨き粉の容器が保管状態に切り替わるので、使用上の便宜性が極大化でき、歯磨き粉を吐出する際に歯磨き粉の蓋を紛失する恐れや汚染の恐れがない等、その期待される効果が多大な発明である。
【発明を実施するための最良の形態】
【０００９】
図１は、本発明で提供する歯磨き粉の蓋(１０)を示す分解斜視図であり、図２は、歯磨き粉の蓋(１０)に歯磨き粉の容器(９)の吐出部(９a)が連結された状態を示す横断面図、図３は、本発明の歯磨き粉の蓋(１０)に歯磨き粉の容器(９)の吐出部(９a)が連結された状態を示す縦断面図、図４は、本発明の歯磨き粉の蓋(１０)から歯磨き粉の容器(９)を分離する際の状態を示す縦断面図などであり、これらの図面と共に、本発明を詳細に説明すれば、次の通りである。
【００１０】
すなわち、本発明の歯磨き粉の蓋(１０)は、歯磨き粉の容器(９)の吐出部(９a)が結合される蓋部(１)と、吸着板のような吸着手段(２)と、一部は、その吸着手段(２)に形成された軸孔(３)を通じて角運動可能に設けられ、両端部は、軸孔(５)を通じて蓋部(１)とヒンジ結合されるヒンジレバー(４)と、を含む。
【００１１】
前記ヒンジレバー(４)の両端部が結合される蓋部(１)上の軸孔(５)は、蓋部(１)の中心を通る対称面(M)から片方へ偏った所に形成される。すなわち、正確に軸孔(５)が対称面(M)上に形成されると、外力が加えられない場合は、吐出部(９a)が結合される蓋部(１)の結合部が、下方に向かった状態で立っているようであるが、対称面(M)から片方に偏るように作ると、蓋部(１)が片方に回ろうとする、偏重された傾向を持つことになる。したがって、図１でのように、対称面(M)の上側に軸孔(５)を作ると、蓋部(１)の結合部が前方、すなわち、吸着手段(２)が取り付けられた壁面の反対側に向かって回るようになる。このようになれば、使用者が、蓋部(１)の結合部を向かい合った状態で、吐出部(９a)を嵌め込めるので、非常に便利であるためである。
【００１２】
一方、図６は、本発明の一部の他の実施例を示すものであり、これは、吸着手段(２)に、一字形のヒンジレバー(４)を用いて、蓋部(１)の上部に形成される連結ヒンジ部(６)上の軸孔(５)を通じてヒンジ結合した場合を例示したものである。
【００１３】
この時、吸着手段(２)の胴体(２a)は、フレキシブル(flexible)な特性を持つようにするのが望ましい。
【００１４】
そして、図７は、本発明のもう一つの実施例を示すものであり、これは、ヒンジレバー(４)の両端部を、蓋部(１)の外縁部に固定される連結リング(７)上の軸孔(５)にヒンジ結合するようにし、前記連結リング(７)は、蓋部(１)に固定ピース(８)で固定した場合であり、これは、既存に使用中の歯磨き粉の蓋を簡易に使用できるようにした場合を例示したものである。
【００１５】
図６と図７の場合においても、軸孔(５)は、図４のような原理で、対称面から片方に偏るように形成される。
【００１６】
上記のように構成され得る本発明の歯磨き粉の蓋(１０)は、歯磨きをする際に、歯磨き粉の容器(９)から蓋部(１)を片手だけでも分離できるものであり、本発明は、使用者が、片手で歯ブラシを持ち、吸着手段(２)により洗面場の鏡やタイルなどに取り付けられた蓋部(１)に連結された歯磨き粉の容器(９)を、上部に約９０゜程持ち上げ、歯磨き粉の容器(９)を蓋部(１)から僅かの力を与えながら分離すれば、歯磨き粉の容器(９)の吐出部(９a)が蓋部(１)から分離され、歯磨き粉の容器(９)が分離された蓋部(１)は、ヒンジレバー(４)に支持されている重心が、前述したように傾いており、図５から分かるように、結合部が、吸着手段(２)が取り付かれている鏡またはタイルの反対側に向かうようになる。そして、この時、蓋部(１)の上端面に鏡やタイルに連接され、蓋部(１)の歯磨き粉の容器(９)の結合部が水平状態(使用者側に向かっている状態)を維持し続けるようになる。
【００１７】
そして、使用者は、歯磨き粉の容器(９)の外部を加圧して、吐出部(９a)を通じて歯磨き粉を吐出した後、歯磨き粉の容器(９)を、水平状態を維持している蓋部(１)に向かって水平方向に吐出部(９a)を押し込むと、強制嵌め込み式に簡易に歯磨き粉の容器(９)と蓋部(１)との結合がなされ、使用者が握っていた歯磨き粉の容器(９)を置くと、歯磨き粉の容器(９)の自重によって、蓋部(１)がヒンジレバー(４)の角運動によって垂直方向に元位置に戻り、保管状態に切り替わるものである。
【００１８】
本発明は、上述の好ましい実施形態を参照して説明されるが、特許請求の範囲に限定されるような本発明の概念及び範囲から逸脱することなく形態や細部に様々な変更を行うことができることは当業者には明らかであろう。
【００１９】
＜産業上の利用可能性＞
前述したように、本発明は、歯磨き粉蓋の製作分野に有用に用いることができる。
【図面の簡単な説明】
【００２０】
【図１】本発明の望ましい一実施例を示す歯磨き粉の蓋の斜視図である。
【図２】本発明の歯磨き粉の蓋に歯磨き粉の容器が連結された状態を示す横断面図である。
【図３】本発明の歯磨き粉の蓋に歯磨き粉の容器が連結された状態を示す縦断面図である。
【図４】本発明の歯磨き粉の蓋から歯磨き粉の容器を分離する際の状態を示す縦断面図である。
【図５】本発明の歯磨き粉の蓋に歯磨き粉の容器を結合する際の状態を示す縦断面図である。
【図６】本発明の歯磨き粉の蓋の一部の他の実施例を示す横断面図である。
【図７】本発明の歯磨き粉の蓋の一部の他の実施例を示す横断面図である。
【符号の説明】
【００２１】
１  蓋部、２  吸着手段、２ａ  胴体、４  ヒンジレバー、５  軸孔、７  連結リング、９  歯磨き粉の容器、９a  吐出部、１０  歯磨き粉の蓋。
【図１】
2007509824.tif 000003
【図２】
2007509824.tif 000004
【図３】
2007509824.tif 000005
【図４】
2007509824.tif 000006
【図５】
2007509824.tif 000007
【図６】
2007509824.tif 000008
【図７】
2007509824.tif 000009
【国際調査報告】
2007509824.tif 000010